(57)【要約】【課題】ユーザレベルのＭＥＧレベルを消費することなく、ユーザ装置とキャリアネットワーク内のキャリア装置との間で、イーサＯＡＭ試験を可能にするネットワーク中継装置及びネットワーク保守運用方法を提供する。【解決手段】保守管理フレームを受信する受信部と、前記保守管理フレームを終端し、該終端した保守管理フレームに含まれる情報と、当該通信装置に設定されている保守管理情報と、に基づいて、前記終端した保守管理フレームに含まれる保守管理情報の複製を含む新たな保守管理フレームを生成する保守管理フレーム処理部と、前記生成した新たな保守管理フレームを送信する送信部と、を備える。【選択図】  図５
2015139077.tif 000002
【特許請求の範囲】
【請求項１】
保守管理フレームを受信する受信部と、
前記保守管理フレームを終端し、該終端した保守管理フレームに含まれる情報と、当該通信装置に設定されている保守管理情報と、に基づいて、前記終端した保守管理フレームに含まれる保守管理情報の複製を含む新たな保守管理フレームを生成する保守管理フレーム処理部と、
前記生成した新たな保守管理フレームを送信する送信部と、を備えることを特徴とする通信装置。
【請求項２】
請求項１に記載の通信装置であって、
前記保守管理フレーム処理部は、
前記終端した保守管理フレームに含まれる、宛先情報、保守管理レベル、及び、保守管理種別、前記終端した保守管理フレームの受信ポート、及び、前記通信装置に設定されている保守管理レベル、保守管理種別、及び、リレー設定、に基づいて、前記終端したフレームをリレー転送するか否かを判断し、
リレー転送すると判断した場合、前記終端した保守管理フレームに含まれる保守管理レベル、及び、保守管理種別を含む新たな保守管理フレームを生成することを特徴とする通信装置。
【請求項３】
請求項１に記載の通信装置であって、
イーサＯＡＭ種別毎に、保守管理フレームのリレー処理の有効／無効を保持するリレー設定テーブルを保持し、
前記保守管理フレーム処理部は、受信した保守管理フレームと前記リレー設定テーブルとに基づいて受信した保守管理フレームをリレー転送するか否かを決定することを特徴とする通信装置。
【請求項４】
請求項３に記載の通信装置であって、
前記リレー設定テーブルは、
ユニキャスト保守管理フレーム受信時の保守管理フレームのリレー処理の有効／無効設定と、マルチキャスト保守管理フレーム受信時の保守管理フレームのリレー処理の有効／無効設定を保持し、
前記保守管理フレーム処理部は、
受信した保守管理フレームがユニキャスト保守管理フレームかマルチキャスト保守管理フレームを判別し、判別結果、前記受信した保守管理フレームに含まれる情報、及び、前記リレー設定テーブルと、に基づいて、受信した保守管理フレームをリレー転送するか否かを決定することを特徴とする通信装置。
【請求項５】
請求項４に記載の通信装置であって、
前記保守管理フレーム処理部は、
前記受信した保守管理フレームがマルチキャスト保守管理フレームである場合、前記保守管理フレームの宛先ＭＡＣアドレスをユニキャストアドレスに変換し、リレー処理を行うことを特徴とする通信装置。
【請求項６】
請求項１に記載の通信装置であって、
キャリアネットワーク及びユーザネットワークに接続され、
前記保守管理フレーム処理部は、
前記キャリアネットワーク側に設定している保守管理区間の保守管理レベルと同じ保守管理レベルを前記ユーザネットワーク側に設定することを特徴とする通信装置。
【請求項７】
複数の通信装置を含むネットワークシステムであって、
前記通信装置は、
保守管理フレームを受信する受信部と、
前記保守管理フレームを終端し、該終端した保守管理フレームに含まれる情報と、当該通信装置に設定されている保守管理情報と、に基づいて、前記終端した保守管理フレームに含まれる保守管理情報の複製を含む新たな保守管理フレームを生成する保守管理フレーム処理部と、
前記生成した新たな保守管理フレームを送信する送信部と、を備えることを特徴とするネットワークシステム。
【請求項８】
請求項７に記載のネットワークであって、
前記保守管理フレーム処理部は、
前記終端した保守管理フレームに含まれる、宛先情報、保守管理レベル、及び、保守管理種別、前記終端した保守管理フレームの受信ポート、及び、前記通信装置に設定されている保守管理レベル、保守管理種別、及び、リレー設定、に基づいて、前記終端したフレームをリレー転送するか否かを判断し、
リレー転送すると判断した場合、前記終端した保守管理フレームに含まれる保守管理レベル、及び、保守管理種別を含む新たな保守管理フレームを生成することを特徴とするネットワークシステム。
【請求項９】
保守管理フレームを受信するステップと、
前記保守管理フレームを終端するステップと、
該終端した保守管理フレームに含まれる情報と、当該通信装置に設定されている保守管理情報と、に基づいて、前記終端した保守管理フレームに含まれる保守管理情報の複製を含む新たな保守管理フレームを生成するステップと、
前記生成した新たな保守管理フレームを送信するステップと、を含むことを特徴とする通信方法。
【請求項１０】
請求項９に記載の通信方法であって、
前記終端した保守管理フレームに含まれる、宛先情報、保守管理レベル、及び、保守管理種別、前記終端した保守管理フレームの受信ポート、及び、前記通信装置に設定されている保守管理レベル、保守管理種別、及び、リレー設定、に基づいて、前記終端したフレームをリレー転送するか否かを判断するステップと、
リレー転送すると判断した場合、前記終端した保守管理フレームに含まれる保守管理レベル、及び、保守管理種別を含む新たな保守管理フレームを生成するステップと、を含むことを特徴とする通信方法。
【発明の詳細な説明】
【技術分野】
【０００１】
本発明は、ネットワーク中継装置及びネットワーク保守運用方法に係り、特に、イーサネット（登録商標）ＯＡＭを用いるネットワーク中継装置及びネットワーク保守運用方法に関する。なお、以下では、イーサネットが登録商標であることの表記を省略する。
【背景技術】
【０００２】
近年、イーサネットは、ＬＡＮ（Ｌｏｃａｌ Ａｒｅａ Ｎｅｔｗｏｒｋ）領域だけにとどまらず、広域イーサネットサービス等のキャリアネットワークにおいても急速に普及してきている。イーサネットの普及に伴い、標準化団体ＩＴＵ−Ｔ及びＩＥＥＥにより、ＩＴＵ−Ｔ勧告 Ｙ.１７３１（非特許文献１）及びＩＥＥＥ ８０２．１ａｇ（非特許文献２）が規定され、イーサネットＯＡＭ（Ｏｐｅｒａｔｉｏｎ Ａｄｍｉｎｉｓｔｒａｔｉｏｎ ａｎｄ Ｍａｉｎｔｅｎａｎｃｅ、以下イーサＯＡＭと言う）の機能が規格化されている。イーサＯＡＭにより、イーサネット網での通信サービスに関する保守管理が可能となるため、イーサネット網におけるＯＡＭ機能の実用化が始まっている。
【０００３】
また、通信ネットワークの発達と普及が急速に進み、ネットワークを介した情報システム利用が急速に普及してきている。従来のＬＡＮ領域内で構築していたシステムを、ネットワークを介した情報システムに移行する場合、利用するネットワークの品質は、従来のＬＡＮ環境と同等の高品質なネットワークが必要である。従来、通信キャリアは専用線サービスなどにより、ユーザサイト間のネットワークを構築するサービスを提供してきた。専用線サービスはコストが高いという特徴があったが、先に述べたイーサＯＡＭの標準化に伴い、コストの低いイーサネット網で高品質なネットワークを構築することが出来るようになり、ユーザがイーサネット網のサービスへ移行しつつある。
【０００４】
また、通信ネットワーク市場では、キャリアとユーザの間でサービスの品質に関して、サービス水準合意（ＳＬＡ：Ｓｅｒｖｉｃｅ Ｌｅｖｅｌ Ａｇｒｅｅｍｅｎｔ）を結ぶことが広く普及しており、キャリアがユーザにＳＬＡに関するネットワーク情報を提供するケースも増えてきている。
【先行技術文献】
【非特許文献】
【０００５】
【非特許文献１】ＩＴＵ−Ｔ Ｙ.１７３１  第５章及び第６章
【非特許文献２】ＩＥＥＥ ８０２．１ａｇ  第１８章
【発明の概要】
【発明が解決しようとする課題】
【０００６】
図１は、イーサＯＡＭの管理領域を表すシステム構成図である。
【０００７】
図１によれば、ユーザ装置Ａ１０１とユーザ装置Ｂ１０２がキャリアネットワーク１１０を介して接続されている。キャリアネットワーク１１０は、ネットワークＸ１１１とネットワークＹ１１２から構成されており、キャリア装置Ｃ１２１はユーザ装置Ａ１０１とネットワークＸ１１１を接続し、キャリア装置Ｄ１２２はネットワークＸ１１１とネットワークＹ１１２を接続し、キャリア装置Ｅ１２３はネットワークＹ１１２とユーザ装置Ｂ１０２を接続する。
【０００８】
イーサＯＡＭを用いて保守管理するネットワーク領域として、ＭＥ（Ｍａｉｎｔｅｎａｎｃｅ Ｅｎｔｉｔｙ）がある。ＭＥは、複数の階層によって構成され、ＭＥＧ（Ｍａｉｎｔｅｎａｎｃｅ Ｅｎｔｉｔｙ Ｇｒｏｕｐ）レベルにより保守管理レベルを設定する。ＭＥＧレベルは０〜７の８段階設定可能であり、非特許文献１によれば、ユーザレベルとしてＭＥＧレベル５〜７、キャリア（プロバイダー）レベルとしてＭＥＧレベル３〜４、オペレータレベルとしてＭＥＧレベル０〜２が割り当てられている。
【０００９】
図１によれば、ユーザ装置Ａ１０１とユーザ装置Ｂ１０２間のＭＥ１４０にＭＥＧレベル７を、キャリア装置Ｃ１２１とキャリア装置Ｅ１２３間のＭＥ１５０にＭＥＧレベル４を、キャリア装置Ｃ１２１とキャリア装置Ｄ１２２間のＭＥ１６０にＭＥＧレベル２を、キャリア装置Ｄ１２２とキャリア装置Ｅ１２３間のＭＥ１７０にＭＥＧレベル２を、ユーザ装置Ａ１０１とキャリア装置Ｃ１２１間のＭＥ１８０にＭＥＧレベル０を、キャリア装置Ｅ１２３とユーザ装置Ｂ１０２間のＭＥ１９０にＭＥＧレベル０を設定している。図１中の三角印１３０は保守管理領域の端点であるＭＥＰ（ＭＥＧ Ｅｎｄ Ｐｏｉｎｔ）を表し、三角内の数字はＭＥＧレベルを表す。
【００１０】
図１の構成において、ユーザ装置Ａ１０１とユーザ装置Ｂ１０２の間のネットワーク状態を確認するため、ユーザが保守管理フレーム（イーサＯＡＭフレーム）を用いてイーサＯＡＭ試験を行うことがある。ユーザが、ユーザ装置Ａ１０１からイーサＯＡＭ試験を実施する場合、図１の構成では、ＭＥＧレベル７またはＭＥＧレベル０のイーサＯＡＭ試験が可能である。ＭＥＧレベル７のイーサＯＡＭ試験を行う場合、ＭＥ１４０を用いてユーザ装置Ｂ１０２との間でＭＥＧレベル７のイーサＯＡＭ試験を行い、ＭＥＧレベル０のイーサＯＡＭ試験を行う場合、ＭＥ１８０を用いてキャリア装置Ｃとの間でＭＥＧレベル０のイーサＯＡＭ試験を行うことが可能である。そのため、ＭＥＧレベル７のイーサＯＡＭ試験により、ユーザ装置Ａ１０１とユーザ装置Ｂ１０２の間のネットワーク状態を確認可能であり、また、ＭＥＧレベル０のイーサＯＡＭ試験により、ユーザ装置Ａ１０１とキャリア装置Ｃ１２１の間のネットワーク状態を確認可能である。ここで言うネットワーク状態とは、イーサＯＡＭ試験により確認可能な試験項目全てであり、例えば、接続状態や遅延時間である。
【００１１】
しかし、ユーザ装置Ａ１０１とキャリア装置Ｄ１２２の間、およびユーザ装置Ａ１０１とキャリア装置Ｅ１２３の間はＭＥが設定されていないため、この区間のイーサＯＡＭ試験を行うことが出来ない。そのため、ユーザ装置Ａ１０１とキャリア装置Ｄ１２２の間のネットワーク状態、および、ユーザ装置Ａ１０１とキャリア装置Ｅ１２３の間のネットワーク状態を確認することができないという問題点があった。
【００１２】
ユーザ装置Ａ１０１がキャリア装置Ｄ１２２との間でＭＥＧレベル２のイーサＯＡＭ試験を行いたい場合、ユーザ装置Ａ１０１はキャリア装置Ｄ１２２宛に、ＭＥＧレベル２のイーサＯＡＭフレームを送信する。しかし、キャリア装置Ｃ１２１のＭＥＧレベル２のＭＥＰ１６１において、ユーザ装置Ａ１０１が送信したイーサＯＡＭフレームが廃棄されてしまう。ＩＴＵ−Ｔ Ｙ．１７３１およびＩＥＥＥ ８０２．１ａｇにおいて、ＭＥＰの動作として、ＭＥ外から自装置で設定している最高ＭＥＧレベル以下のイーサＯＡＭフレームが入力された場合、廃棄処理をすることが規定されているためである。従って、キャリア装置Ｄ１２２にイーサＯＡＭフレームが届かないため、ユーザ装置Ａ１０１とキャリア装置Ｄ１２２との間でイーサＯＡＭ試験を行うことが出来ない。  別の方法として、ユーザ装置Ａ１０１とキャリア装置Ｄ１２２にＭＥＧレベル５のＭＥＰを設定し、ＭＥＧレベル５のイーサＯＡＭ試験を行う方法も考えられる。しかし、この方法では、ユーザレベルとして３つしかないＭＥＧレベルを１つ消費することになり、ユーザが設定できるＭＥを減少させてしまうという問題点を生じさせてしまう。また、キャリア装置がユーザレベルのＭＥＰを設定することになるため、キャリアとの合意が必要であり、また、キャリア装置もユーザレベルのＭＥＰを設定できなければならないという問題も生じてしまう。
【００１３】
そのため、従来、ユーザ装置のユーザがキャリアネットワーク１１０内のネットワーク状態を確認したい場合、ユーザ装置のユーザはキャリアネットワーク１１０のネットワーク管理者にイーサＯＡＭ試験を依頼し、キャリアネットワーク１１０のネットワーク管理者がキャリアネットワーク１１０内で行ったイーサＯＡＭ試験結果を教えてもらうという手段をとっており、ユーザ、キャリアともに手間がかかるという問題点があった。
【００１４】
したがって、本発明の目的は、ユーザレベルのＭＥＧレベルを消費することなく、ユーザ装置とキャリアネットワーク内のキャリア装置との間で、イーサＯＡＭ試験を可能にするネットワーク中継装置及びネットワーク保守運用方法を提供することにある。
【課題を解決するための手段】
【００１５】
本発明は、保守管理フレームを受信する受信部と、前記保守管理フレームを終端し、該終端した保守管理フレームに含まれる情報と、当該通信装置に設定されている保守管理情報と、に基づいて、前記終端した保守管理フレームに含まれる保守管理情報の複製を含む新たな保守管理フレームを生成する保守管理フレーム処理部と、前記生成した新たな保守管理フレームを送信する送信部と、を備えることを特徴の一つとする。
【発明の効果】
【００１６】
本発明によれば、ユーザレベルのＭＥＧレベルを消費することなく、ユーザ装置とキャリアネットワーク内のキャリア装置との間のイーサＯＡＭ試験を可能にする。さらに、本発明により、異なる管理網内の装置との間で直接イーサＯＡＭ試験を行うことが可能となるため、従来と比べて、異なる管理網内の装置との間の区間でのイーサＯＡＭ試験の結果が容易にわかるようになる。
【図面の簡単な説明】
【００１７】
【図１】イーサＯＡＭの管理領域を表すシステム構成図である。
【図２】イーサＯＡＭフレームのフレーム構成例を示す図である。
【図３】本発明の実施形態でのＭＥ設定の例を示す図である。
【図４】ユーザ装置Ａの構成例を示すブロック図である。
【図５】キャリア装置Ｃの構成例を示すブロック図である。
【図６】キャリア装置Ｄの構成例を示すブロック図である。
【図７】キャリア装置ＣがサポートするイーサＯＡＭ種別の例を示す図である。
【図８】キャリア装置Ｃで管理されるリレー設定テーブルの構成例を示す図である。
【図９】キャリア装置Ｃで管理されるリレー設定テーブルの構成例を示す図である。
【図１０】ユーザ装置Ａとキャリア装置Ｄ間でイーサＯＡＭフレームを送受信する際の動作を説明する図である。
【図１１】イーサＯＡＭ処理部の処理を示すフローチャートである。
【図１２】ユニキャストのイーサＯＡＭフレームのリレー処理を示すシーケンス図の一例である。
【図１３】リレー処理を行わない結果となるシーケンス図の一例である。
【図１４】マルチキャストのイーサＯＡＭフレームのリレー処理を示すシーケンス図の一例である。
【図１５】マルチキャストのイーサＯＡＭフレームのリレー処理を示すシーケンス図の一例である。
【図１６】ポイントツーマルチポイントでのＭＥ設定の例を示す図である。
【図１７】ポイントツーマルチポイントでのマルチキャストのイーサＯＡＭフレームのリレー処理を示すシーケンス図の一例である。
【図１８】ポイントツーマルチポイントでのマルチキャストのイーサＯＡＭフレームのリレー処理を示すシーケンス図の一例である。
【図１９】イーサＯＡＭ試験管理テーブルの一例である。
【発明を実施するための形態】
【００１８】
以下、本発明の実施の形態を図面により詳細に説明する。
【００１９】
以下では、ＩＴＵ−Ｔ Ｙ.１７３１を用いて説明したが、本発明はＩＴＵ−Ｔ Ｙ.１７３１に限られるものではない。
【００２０】
図２はイーサＯＡＭ試験で用いるイーサＯＡＭフレームのフレーム構成例を示す図である。
【００２１】
イーサＯＡＭフレームは、宛先ＭＡＣアドレス２０１、送信元ＭＡＣアドレス２０２、タイプ２０３、ペイロード２０４、ＦＣＳ２０５から構成される。イーサＯＡＭフレームのタイプ２０３は０ｘ８９０２である。ペイロード２０４は、イーサＯＡＭのデータであり、ＩＴＵ−Ｔ Ｙ．１７３１、ＩＥＥＥ ８０２．１ａｇでそのフォーマットが規定されている。イーサＯＡＭフレームのペイロード２０４は、ＭＥＧレベル２０６、バージョン２０７、ＯｐＣｏｄｅ２０８、フラグ２０９、ＴＬＶオフセット２１０、ＯＡＭデータ２１１から構成される。ＭＥＧレベル２０６は、イーサＯＡＭフレームの管理レベルを示す。ＯｐＣｏｄｅ２０８は、イーサＯＡＭ種別を識別するための識別子であり、ＩＴＵ−Ｔ Ｙ．１７３１、ＩＥＥＥ ８０２．１ａｇにより規定されている。
【００２２】
図３は本発明の実施形態でのＭＥ設定の例を示す図である。キャリアネットワーク110のネットワーク管理者は、キャリア装置Ｃ１２１のネットワーク側に設定しているＭＥと同じレベルのＭＥＰをキャリア装置Ｃ１２１のユーザ装置側に設定するよう、キャリア装置Ｃ１２１にＭＥレベル設定情報を入力する。キャリアネットワーク１１０のネットワーク管理者は、例えば、管理サーバ等を介してＭＥレベル設定情報を入力する。キャリア装置Ｃ１２１が、管理サーバ等からＭＥレベル設定情報を受信すると、キャリア装置Ｃ１２１のイーサＯＡＭ処理部５２１は、キャリア装置Ｃ１２１のネットワーク側に設定しているＭＥと同じレベルのＭＥＰをキャリア装置Ｃ１２１のユーザ装置側に設定する。
【００２３】
図３において、キャリアネットワーク110のネットワーク管理者は、キャリア装置Ｃ１２１にＭＥＧレベル４のＭＥ１５０が設定されてているため、ＭＥＧレベル４のＭＥＰ３０２をキャリア装置Ｃ１２１のユーザ装置Ａ１０１側に設定する。また、キャリアネットワーク110のネットワーク管理者は、キャリア装置Ｃ１２１にＭＥＧレベル２のＭＥ１６０が設定されているため、ＭＥＧレベル２のＭＥＰ３１２をキャリア装置Ｃ１２１のユーザ装置Ａ１０１側に設定する。
【００２４】
ユーザ装置のユーザは、キャリアネットワーク110のネットワーク管理者がキャリアネットワーク内の各キャリア装置に設定されているＭＥＰのＭＥＧレベルについての情報と、ＭＥの区間についての情報（ＭＥＧレベル２はキャリア装置Ｃ１２１とキャリア装置Ｄ１２２の間のＭＥ１６０、ＭＥＧレベル４はキャリア装置Ｃ１２１とキャリア装置Ｅ１２３の間のＭＥ１５０）と、を契約等により事前に知っているものとする。ユーザ装置のユーザは、イーサＯＡＭ試験を行いたいキャリア装置に設定されているＭＥと同じＭＥＧレベルのＭＥＰをユーザ装置Ａ１０１に設定するよう、ユーザ装置Ａに設定情報を入力する。例えば、ユーザ装置のユーザは、ユーザ装置Ａ１０１とキャリア装置Ｅ１２３との間でＭＥＧレベル４のイーサＯＡＭ試験を行いたい場合、ユーザ装置Ａ１０１のユーザは、ＭＥＧレベル４のＭＥＰ３０１を設定するようユーザ装置Ａ１０１に設定情報を入力する。ユーザ装置ＡのイーサＯＡＭ処理部５２１は、入力された設定情報に従いＭＥＧレベル４のＭＥＰ３０１を設定する。これにより、ユーザ装置Ａ１０１とキャリア装置Ｃ１２１の間にＭＥ３００が設定される。また、ユーザ装置Ａ１０１のユーザは、ユーザ装置Ａ１０１とユーザ装置Ｄ１２２との間でＭＥＧレベル２のイーサＯＡＭ試験を行いたい場合、ＭＥＧレベル２のＭＥＰ３１１を設定するようユーザ装置Ａ１０１に設定情報を入力する。ユーザ装置ＡのイーサＯＡＭ処理部４２１は、入力された設定情報に従ってＭＥＧレベル２のＭＥＰ３１１をユーザ装置Ａ１０１に設定する。これによりユーザ装置Ａ１０１とキャリア装置Ｃ１２１との間にＭＥ３１０が設定される。これにより、図３の構成では、ユーザ装置Ａ１０１とキャリア装置Ｃ１２１の装置間は、ＭＥＧレベル４とＭＥＧレベル２とＭＥＧレベル０のイーサＯＡＭ試験が可能となる。さらに、キャリア装置Ｃ１２１のリレー処理により、ユーザ装置Ａ１０１とキャリア装置Ｅ１２３との間でＭＥＧレベル４のイーサＯＡＭ試験が可能となり、ユーザ装置Ａ１０１とキャリア装置Ｄ１２２の間でＭＥＧレベル２のイーサＯＡＭ試験が可能となる。
【００２５】
図４はユーザ装置Ａ１０１の構成例を示すブロック図である。ユーザ装置Ａ１０１は、ユーザネットワーク１０３からのフレーム受信部４０１、多重部４０３、キャリア装置Ｃ１２１へのフレーム送信部４０４、キャリア装置Ｃ１２１からのフレーム受信部４１１、振分部４１２、ユーザネットワークへのフレーム送信部４１４、イーサＯＡＭ処理部４２１から構成される。
【００２６】
受信部４０１は、ユーザネットワーク１０３からのユーザフレームを受信するインタフェースである。多重部４０３は、受信部４０１からのユーザフレームと、イーサＯＡＭ処理部４２１からのイーサＯＡＭフレームを多重し、ユーザフレームとイーサＯＡＭフレームを多重したイーサフレームを送信部４０４へ送出する。送信部４０４は、キャリア装置Ｃ１２１へイーサフレームを送信するインタフェースである。受信部４１１は、キャリア装置Ｃ１２１からのイーサフレームを受信するインタフェースである。
【００２７】
振分部４１２は、キャリア装置Ｃ１２１から受信したイーサフレームがユーザフレームまたはイーサＯＡＭフレームのどちらであるかをタイプ２０３とＭＥＧレベル２０６とを用いて判別する。受信したイーサフレームのタイプ２０３が０ｘ８９０２かつＭＥＧレベル２０６がユーザ装置Ａ１０１に設定している最大ＭＥＧレベル以下であれば、イーサＯＡＭフレームと判別しイーサＯＡＭ処理部４２１へ送出する。前述の条件に当てはまらなければ、ユーザフレームと判別し送信部４１４へ送出する。
【００２８】
送信部４１４は、ユーザネットワーク１０３へユーザフレームを送信するインタフェースである。
【００２９】
イーサＯＡＭ処理部４２１は、イーサＯＡＭフレームの生成処理およびイーサＯＡＭフレームの終端処理を行う。イーサＯＡＭ処理部４２１は、イーサＯＡＭフレームを生成すると、生成するイーサＯＡＭフレームを多重部４０３へ送出する（イーサＯＡＭフレーム生成処理）。イーサＯＡＭ処理部４２１は、イーサＯＡＭフレームを終端する場合、振分部４１２から送られてくるイーサＯＡＭフレームを受信し、ＯｐＣｏｄｅ２０８によりイーサＯＡＭ種別を判別し、イーサＯＡＭ種別に従ったイーサＯＡＭ処理終端を行う（イーサＯＡＭフレーム終端処理）。
【００３０】
図５はキャリア装置Ｃ１２１の構成例を示すブロック図である。キャリア装置Ｃ１２１は、ユーザ装置Ａ１０１からのフレーム受信部５０１、振分部５０２、多重部５０３、ネットワークＸ１１１へのフレーム送信部５０４、ネットワークＸ１１１からのフレーム受信部５１１、振分部５１２、多重部５１３、ユーザ装置Ａ１０１へのフレーム送信部５１４、イーサＯＡＭ処理部５２１、リレー設定テーブル５２２から構成される。尚、キャリア装置Ｅを含む、ユーザ装置と接続されるキャリア装置は図５の構成と同様の構成である。
【００３１】
受信部５０１は、ユーザ装置Ａ１０１からのイーサフレームを受信するインタフェースである。振分部５０２は、ユーザ装置Ａ１０１から受信したイーサフレームがユーザフレームまたはイーサＯＡＭフレームのどちらであるかをタイプ２０３とＭＥＧレベル２０６とを用いて判別する。受信したイーサフレームのタイプ２０３が０ｘ８９０２かつＭＥＧレベル２０６がキャリア装置Ｃ１２１に設定している最大ＭＥＧレベル以下であれば、受信したイーサフレームはイーサＯＡＭフレームと判別し、イーサＯＡＭ処理部５２１へ送出する。前述の条件に当てはまらなければ、受信したイーサフレームはユーザフレームと判別し、受信したイーサフレームを多重部５０３へ送出する。
【００３２】
多重部５０３は、振分部５０２からのユーザフレームと、イーサＯＡＭ処理部５２１からのイーサＯＡＭフレームを多重し、イーサフレームを送信部５０４へ送出する。
【００３３】
送信部５０４は、ネットワークＸ１１１へイーサフレームを送信するインタフェースである。
【００３４】
受信部５１１は、ネットワークＸ１１１からのイーサフレームを受信するインタフェースである。
【００３５】
振分部５１２は、ネットワークＸ１１１から受信したイーサフレームがユーザフレームまたはイーサＯＡＭフレームのどちらであるかをタイプ２０３とＭＥＧレベル２０６とを用いて判別する。受信したイーサフレームのタイプ２０３が０ｘ８９０２かつＭＥＧレベル２０６がキャリア装置Ｃ１２１に設定している最大ＭＥＧレベル以下であれば、受信したイーサフレームはイーサＯＡＭフレームと判別し、受信したイーサフレームをイーサＯＡＭ処理部５２１へ送出する。前述の条件に当てはまらなければ、受信したイーサフレームはユーザフレームと判別し、受信したイーサフレームを多重部５１３へ送出する。
【００３６】
多重部５１３は、振分部５１２からのユーザフレームと、イーサＯＡＭ処理部５２１からのイーサＯＡＭフレームを多重し、送信部５１４へ送出する。送信部５１４は、ユーザ装置Ａ１０１へイーサフレームを送信するインタフェースである。
【００３７】
イーサＯＡＭ処理部５２１は、イーサＯＡＭフレームを生成およびイーサＯＡＭフレームを終端する。イーサＯＡＭ処理部５２１は、イーサＯＡＭフレームを生成する場合、生成するイーサＯＡＭフレームを多重部５０３または多重部５１３へ送出する。イーサＯＡＭフレームを終端する場合、振分部５０２または振分部５１２から送られてくるイーサＯＡＭフレームを受信し、ＯｐＣｏｄｅ２０８によりイーサＯＡＭ種別を判別し、イーサＯＡＭ種別に従ったイーサＯＡＭ終端処理を行う。
【００３８】
また、イーサＯＡＭ処理部５２１は、イーサＯＡＭフレームのリレー処理を行う。イーサＯＡＭフレームのリレー処理とは、ユーザ装置Ａ１０１側から受信したイーサＯＡＭフレームを終端した後に、イーサＯＡＭ情報を引き継いだイーサＯＡＭフレームを生成し、ネットワークＸ１１１側に送信する処理である。この時、イーサＯＡＭフレームは、受信部５０１、振分部５０２、イーサＯＡＭ処理部５２１の順番で処理される。イーサＯＡＭ処理部５２１は、イーサＯＡＭの終端処理を行った後、リレー条件に合致したイーサＯＡＭフレームであれば、イーサＯＡＭ処理部５２１でＯＡＭ情報をコピーした新たなイーサＯＡＭフレームを生成し、多重部５０３に送出する。その後、イーサＯＡＭフレームは、多重部５０３、送信部５０４の順番で処理される。
【００３９】
逆方向のイーサＯＡＭフレームのリレー処理も同様に、イーサＯＡＭ処理部５２１は、ネットワークＸ１１１側から受信したイーサＯＡＭフレームを終端した後、イーサＯＡＭ情報を引き継いだイーサＯＡＭフレームを生成し、ユーザ装置Ａ１０１側に送信する処理を行う。この時、イーサＯＡＭフレームは、受信部５１１、振分部５１２、イーサＯＡＭ処理部５２１の順番で処理される。イーサＯＡＭ処理部５２１は、イーサＯＡＭの終端処理を行い、リレー条件に合致したイーサＯＡＭフレームであれば、イーサＯＡＭ処理部５２１でＯＡＭ情報をコピーした新たなイーサＯＡＭフレームを生成し、多重部５１３に送出する。その後、イーサＯＡＭフレームは多重部５１３、送信部５１４の順番で処理される。
【００４０】
リレー設定テーブル５２２は、キャリア装置Ｃ１２１に設定されているＭＥＰのＭＥＧレベル、キャリア装置Ｃ１２１がサポートするイーサＯＡＭ種別（ＯｐＣｏｄｅ）、リレー方向毎のリレー設定有効／無効設定情報を記憶する。
【００４１】
図６はキャリア装置Ｄ１２２の構成例を示すブロック図である。キャリア装置Ｄ１２２は、ネットワークＸ１１１からのフレーム受信部６０１、振分部６０２、多重部６０３、ネットワークＹ１１２へのフレーム送信部６０４、ネットワークＹ１１２からのフレーム受信部６１１、振分部６１２、多重部６１３、ネットワークＸ１１１へのフレーム送信部６１４、イーサＯＡＭ処理部６２１から構成される。
【００４２】
受信部６０１は、ネットワークＸ１１１からのイーサフレームを受信するインタフェースである。振分部６０２は、ネットワークＸ１１１から受信したイーサフレームがユーザフレームまたはイーサＯＡＭフレームのどちらであるかをタイプ２０３とＭＥＧレベル２０６とを用いて判別する。受信したイーサフレームのタイプ２０３が０ｘ８９０２かつＭＥＧレベル２０６がキャリア装置Ｄ１２２に設定している最大ＭＥＧレベル以下であれば、イーサＯＡＭフレームと判別しイーサＯＡＭ処理部６２１へ送出する。前述の条件に当てはまらなければ、受信したイーサフレームはユーザフレームであると判別し多重部６０３へ送出する。
【００４３】
多重部６０３は、振分部６０２からのユーザフレームと、イーサＯＡＭ処理部６２１からのイーサＯＡＭフレームを多重し、送信部６０４へ送出する。送信部６０４は、ネットワークＹ１１２へイーサフレームを送信するインタフェースである。受信部６１１は、ネットワークＹ１１２からのイーサフレームを受信するインタフェースである。
【００４４】
振分部６１２は、ネットワークＹ１１２から受信したイーサフレームがユーザフレームまたはイーサＯＡＭフレームのどちらであるかをタイプ２０３とＭＥＧレベル２０６とを用いて判別する。受信したイーサフレームのタイプ２０３が０ｘ８９０２かつＭＥＧレベル２０６がキャリア装置Ｄ１２２に設定している最大ＭＥＧレベル以下であれば、イーサＯＡＭフレームと判別しイーサＯＡＭ処理部６２１へ送出する。前述の条件に当てはまらなければ、ユーザフレームと判別し多重部６１３へ送出する。多重部６１３は、振分部６１２からのユーザフレームと、イーサＯＡＭ処理部６２１からのイーサＯＡＭフレームを多重し、送信部６１４へ送出する。送信部６１４は、ネットワークＸ１１１へイーサフレームを送信するインタフェースである。
【００４５】
イーサＯＡＭ処理部６２１は、イーサＯＡＭフレームを生成およびイーサＯＡＭフレームを終端する。イーサＯＡＭフレームを生成する場合、生成するイーサＯＡＭフレームは多重部６０３または多重部６１３へ送出される。イーサＯＡＭフレームを終端する場合、振分部６０２または振分部６１２から送られてくるイーサＯＡＭフレームを受信し、ＯｐＣｏｄｅ２０８によりイーサＯＡＭ種別を判別し、イーサＯＡＭ種別に従ったイーサＯＡＭ終端処理を行う。
【００４６】
図７は、キャリア装置Ｃ１２１がサポートするイーサＯＡＭ種別の例を示す図である。図７によれば、キャリア装置Ｃ１２１には、ＭＥＧレベル４と２と０が設定されている。ＭＥＧレベル４では、ユーザ装置Ａ１０１側とのイーサＯＡＭはすべて無効であり、ネットワークＸ１１１側とのイーサＯＡＭは、ＣＣＭ、ＬＢＭ、ＬＢＲ、ＤＭＭ、ＤＭＲが有効である。ＭＥＧレベル２では、ユーザ装置Ａ１０１側とのイーサＯＡＭはすべて無効であり、ネットワークＸ１１１側とのイーサＯＡＭは、ＣＣＭ、ＬＢＭ、ＬＢＲ、ＤＭＭ、ＤＭＲが有効である。ＭＥＧレベル０では、ユーザ装置Ａ１０１側とのイーサＯＡＭはＬＢＭ、ＬＢＲが有効であり、ネットワークＸ１１１側とのイーサＯＡＭはすべて無効である。
【００４７】
図８と図９はキャリア装置Ｃ１２１で管理するリレー設定テーブル５２２の構成例を示す図である。キャリア装置Ｃ１２１は、リレーするイーサＯＡＭフレームを管理するため、リレー方向、ＭＥＧレベル、イーサＯＡＭ種別（ＯｐＣｏｄｅ）、ユニキャスト／マルチキャストの組み合わせ毎に、リレーの有効／無効設定情報をリレー設定テーブル５２２に記憶する。図８は、ユーザ装置Ａ側→ネットワークＸ側のリレー設定テーブルの構成例を示し、図９はネットワークＸ側→ユーザ装置Ａ側のリレー設定テーブルの構成例を示す。
【００４８】
図８に示す構成例において、ユーザ装置Ａ１０１側からネットワークＸ１１１側方向のリレー設定は、ユニキャストのイーサＯＡＭフレームを受信した場合、ＭＥＧレベル４のＬＢＭとＭＥＧレベル４のＤＭＭとＭＥＧレベル２のＬＢＭがリレーされる設定である。ＭＥＧレベル４のＣＣＭ、ＭＥＧレベル４のＬＢＲ、ＭＥＧレベル４のＤＭＲ、ＭＥＧレベル２のＣＣＭ、ＭＥＧレベル２のＬＢＲ、ＭＥＧレベル２のＤＭＭ、ＭＥＧレベル２のＤＭＲはリレーされない設定である。また、マルチキャストのイーサＯＡＭフレームを受信した場合、ＭＥＧレベル４のＬＢＭとＭＥＧレベル４のＤＭＭとＭＥＧレベル２のＬＢＭとＭＥＧレベル２のＤＭＭがリレーされる設定である。ＭＥＧレベル４のＣＣＭ、ＭＥＧレベル４のＬＢＲ、ＭＥＧレベル４のＤＭＲ、ＭＥＧレベル２のＣＣＭ、ＭＥＧレベル２のＬＢＲ、ＭＥＧレベル２のＤＭＲはリレーされない設定である。マルチキャストのイーサＯＡＭフレームリレー時に、宛先ＭＡＣアドレスの変換を行うかどうかの設定については、ＭＥＧレベル４のＬＢＭとＭＥＧレベル２のＬＢＭについてはアドレス変換を行わず、ＭＥＧレベル４のＤＭＭについてはキャリア装置Ｅ１２３のＭＡＣアドレスに変換し、ＭＥＧレベル２のＤＭＭについてはキャリア装置Ｄ１２２のＭＡＣアドレスに変換する設定である。
【００４９】
図９に示す構成例において、ネットワークＸ１１１側からユーザ装置Ａ１０１側方向のリレー設定は、ユニキャストのイーサＯＡＭフレームを受信した場合、ＭＥＧレベル４のＬＢＲとＭＥＧレベル４のＤＭＲとＭＥＧレベル２のＬＢＲとＭＥＧレベル２のＤＭＲがリレーされる設定である。ＭＥＧレベル４のＣＣＭ、ＭＥＧレベル４のＬＢＭ、ＭＥＧレベル４のＤＭＭ、ＭＥＧレベル２のＣＣＭ、ＭＥＧレベル２のＬＢＭ、ＭＥＧレベル２のＤＭＭはリレーされない設定である。また、マルチキャストのイーサＯＡＭフレームを受信した場合は全てのイーサＯＡＭフレームがリレーされない設定である。
【００５０】
図１０は、本発明の実施形態において、イーサＯＡＭフレームをリレー送信する場合のイーサＯＡＭフレームの転送動作を説明する図である。図１０において、ユーザ装置Ａ１０１とキャリア装置Ｄ１２２の間で、キャリア装置Ｃ１２１のイーサＯＡＭリレー処理を介してＭＥＧレベル２のイーサＯＡＭ試験を行う。図１０の１００１、１００２、１００３、１００４はイーサＯＡＭフレームを表し、先頭のアルファベットは宛先装置を、２番目のアルファベットは送信元装置を示す。宛先装置情報はイーサフレームの宛先ＭＡＣアドレス２０１、送信元装置情報はイーサフレームの送信元ＭＡＣアドレス２０２である。
【００５１】
キャリア装置Ｃ１２１のイーサＯＡＭ処理部５２１は、ユーザ装置Ａ１０１からイーサＯＡＭフレーム１００１を受信した場合、受信したイーサＯＡＭフレーム１００１の宛先ＭＡＣアドレス、ＭＥＧレベル、ＯｐＣｏｄｅの情報、及び、リレー設定テーブルの設定値から、リレー処理を実行するか判定する。宛先アドレス、ＭＥＧレベル、及び、ＯｐＣｏｄｅの情報がリレー条件に合致した場合、リレー設定「有効」と判定し、キャリア装置Ｃ１２１のイーサＯＡＭ処理部５２１は、イーサＯＡＭフレーム１００２を生成し、キャリア装置Ｄ１２２に送信する。この時のイーサＯＡＭフレーム１００２はイーサＯＡＭフレーム１００１の内容と同じである。ただし、後述するＭＡＣアドレス変換を行う場合、宛先ＭＡＣアドレスについては書き換えられている。
【００５２】
逆方向も同様に、キャリア装置Ｃ１２１のイーサＯＡＭ処理部５２１は、キャリア装置Ｄ１２２からイーサＯＡＭフレーム１００３を受信した場合、受信したイーサＯＡＭフレーム１００３の宛先ＭＡＣアドレス、ＭＥＧレベル、ＯｐＣｏｄｅの情報、リレー設定テーブルとの設定値から、リレー処理を実行するか判定する。判定した結果、宛先ＭＡＣアドレス、ＭＥＧレベル、及び、ＯｐＣｏｄｅの情報がリレー条件に合致した場合、リレー設定「有効」と判定し、のイーサＯＡＭ処理部５２１は、イーサＯＡＭフレーム１００４を生成し、ユーザ装置Ａ１０１に送信する。この時のイーサＯＡＭフレーム１００４はイーサＯＡＭフレーム１００３の内容と同じである。ただし、後述するＭＡＣアドレス変換を行う場合、宛先ＭＡＣアドレスについては書き換えられている。
【００５３】
図１１は、イーサＯＡＭ処理部５２１の処理を示すフローチャートである。イーサＯＡＭ処理部５２１は、イーサＯＡＭフレームを受信すると、イーサＯＡＭフレームの宛先ＭＡＣアドレス、ＭＥＧレベル、ＯｐＣｏｄｅ、及び、イーサＯＡＭフレームを受信したポートの情報を取得する（処理１１０１）。次に取得したＭＥＧレベル、ＯｐＣｏｄｅ、イーサＯＡＭフレームを受信したポート情報、及び、図７のイーサＯＡＭ設定内容から、イーサＯＡＭ設定が有効の場合はイーサＯＡＭ終端処理を行う（処理１１０２）。
【００５４】
終端したイーサＯＡＭフレームの宛先ＭＡＣアドレス２０１、送信元ＭＡＣアドレス２０２、タイプ２０３、ペイロード２０４はリレー処理で使用する可能性があるため保持しておく。次にリレー判定処理を行う。「リレー判定処理」とは、１１０３ないし１１０８の処理である。また、「リレー転送処理」とは、図１１の１１１１の処理及び１１１２の処理をいう。
【００５５】
第１の判定において、イーサＯＡＭ処理部５２１は、図１９に示すテーブルを参照し、自装置で同じ方向、同じＭＥＧレベル、同じＯｐＣｏｄｅのイーサＯＡＭ試験を実行中かどうか判定する（条件１１０３）。条件１１０３がＹｅｓの場合、実行中のイーサＯＡＭ試験に影響が出るため、リレー転送処理を行わず、処理を終了する。条件１１０３がＮｏの場合、第２の判定を行う。
【００５６】
第２の判定において、イーサＯＡＭ処理部５２１は、受信したイーサＯＡＭフレームの宛先ＭＡＣアドレスが自装置のＭＡＣアドレスであるかどうか判定する（条件１１０４）。条件１１０４がＹｅｓの場合、リレー転送処理を行わず、処理を終了する。条件１１０４がＮｏの場合、第３の判定を行う。
【００５７】
第３の判定において、イーサＯＡＭ処理部５２１は、受信したイーサＯＡＭフレームの宛先ＭＡＣアドレスがマルチキャストアドレスであるかどう判定する（条件１１０５）。
【００５８】
条件１１０５がＮｏの場合、受信したイーサＯＡＭフレームの情報からリレー設定テーブル５２２を検索し、受信したイーサＯＡＭフレームに該当するユニキャストリレー設定が有効かどうかを検索する（条件１１０６）。条件１１０６がＮｏの場合、リレー転送処理を行わず、処理を終了する。条件１１０６がＹｅｓの場合、通常リレー転送処理（処理１１１１）を行い、処理を終了する。「通常リレー転送処理」（処理１１１１）とは、受信したイーサＯＡＭフレームとまったく同じ内容のイーサＯＡＭフレームを生成し、リレーする処理である。
【００５９】
次に条件１１０５がＹｅｓの場合、受信したイーサＯＡＭフレームの情報からリレー設定テーブル５２２を検索し、受信したイーサＯＡＭフレームに該当するマルチキャストリレー設定が有効かどうかを検索する（条件１１０７）。条件１１０７がＮｏの場合、リレー転送処理を行わず、処理を終了する。条件１１０７がＹｅｓの場合、受信したイーサＯＡＭフレームの情報からリレー設定テーブル５２２を検索し、受信したイーサＯＡＭフレームに該当するマルチキャストアドレス変換が有効かどうかを検索する（条件１１０８）。条件１１０８がＮｏの場合、通常リレー転送処理（処理１１１１）を行い、処理を終了する。条件１１０８がＹｅｓの場合、アドレス変換リレー処理（処理１１１２）を行い、処理を終了する。「アドレス変換リレー転送処理」（処理１１１２）は、宛先ＭＡＣアドレスを、リレー設定テーブルに設定しているＭＡＣアドレスに変換したイーサＯＡＭフレームを生成し、リレーする処理である。
【００６０】
図１２は、図１１のフローチャートに従い処理を行った場合の、ユーザ装置Ａとキャリア装置Ｄ間のイーサＯＡＭフレームの転送シーケンス図の一例である。イーサＯＡＭ試験の一例として、ユーザ装置Ａ１０１とキャリア装置Ｄ１２２との間で、キャリア装置Ｃ１２１のリレー転送処理を介して、ＭＥＧレベル２のユニキャストＬＢ（ＬｏｏｐＢａｃｋ）試験を行う場合を例にして説明する。
【００６１】
ユーザ装置Ａ１０１のオペレータ１００は、ユーザ装置Ａ１０１とキャリア装置Ｄ１２２の間でＭＥＧレベル２のユニキャストＬＢ試験を行うため、ユーザ装置Ａ１０１に、キャリア装置Ｄ宛のＭＥＧレベル２のＬＢ試験実行指示を入力する（処理１２０１）。ユーザ装置Ａ１０１は、ＬＢ試験実行指示の入力を受信すると、イーサＯＡＭ処理部４２１においてイーサＯＡＭのＬＢＭフレーム１２１１を生成し、キャリア装置Ｃ１２１に送信する（処理１２０２）。この時のＬＢＭフレーム１２１１は、宛先ＭＡＣアドレスがキャリア装置Ｄ１２２のＭＡＣアドレス、送信元ＭＡＣアドレスがユーザ装置Ａ１０１のＭＡＣアドレス、ＭＥＧレベル２、ＯｐＣｏｄｅが０ｘ０３のＬＢＭフレームである。
【００６２】
キャリア装置Ｃ１２１は、ＬＢＭフレーム１２１１を受信すると、イーサＯＡＭ処理部５２１においてイーサＯＡＭ処理を行う（処理１２２１）。イーサＯＡＭ処理（処理１２２１）は、図１１の処理１１０１と処理１１０２に該当する。図７の設定によると、ＭＥＧレベル２、ＯｐＣｏｄｅが０ｘ０３、ユーザ装置Ａ１０１側のイーサＯＡＭ設定は無効となっているため、ユーザ装置Ａ側からＬＢＭフレーム１２１１を受信したとき、イーサＯＡＭ処理部５２１はイーサＯＡＭフレームを処理しない。
【００６３】
次に、リレー判定処理（処理１２２２）を行う。リレー判定処理（処理１２２２）は、図１１の条件１１０３〜条件１１０８の判定処理に該当する。条件１１０３について、キャリア装置Ｃ１２１でネットワークＸ１１１側にＭＥＧレベル２のＬＢ試験を実行中であるか確認する。ここでは説明のため、ＬＢ試験を行っていないものとする。次に、条件１１０４について、受信ＬＢＭフレーム１２１１の宛先ＭＡＣアドレスは、キャリア装置Ｃ１２１宛でないため、リレー条件に合致する。次に、条件１１０５について、受信ＬＢＭフレーム１２１１の宛先ＭＡＣアドレスは、マルチキャストアドレスでないため、リレー条件１１０６の判定に進む。条件１１０６について、図８のユーザ装置Ａ側→ネットワークＸ側リレー設定テーブル５２２の設定によると、ＭＥＧレベル２、ＯｐＣｏｄｅが０ｘ０３のユニキャストリレー設定は有効であるため、条件に合致する。そのため、キャリア装置Ｃ１２１のイーサＯＡＭ処理部は、通常リレー転送処理１１１１を行う。
【００６４】
リレー転送処理１２２３で行う処理は通常転送リレー処理１１１１であるため、キャリア装置Ｃ１２１は、キャリア装置Ｃ１２１のイーサＯＡＭ処理部５２１で、受信したＬＢＭフレーム１２１１と同じ宛先ＭＡＣアドレスがキャリア装置Ｄ１２２のＭＡＣアドレス、送信元ＭＡＣアドレスがユーザ装置Ａ１０１のＭＡＣアドレス、ＭＥＧレベル２、ＯｐＣｏｄｅが０ｘ０３のＬＢＭフレーム１２３１を生成し、生成したＬＢＭフレームをキャリア装置Ｄ１２２に送信する（処理１２２３）。
【００６５】
キャリア装置Ｄ１２２は、ＬＢＭフレーム１２３１を受信すると、イーサＯＡＭ処理部６２１においてイーサＯＡＭ処理を行う（処理１２４１）。キャリア装置Ｄ１２２は、イーサＯＡＭ処理１２４１において、受信したＬＢＭフレーム１２３１を終端し、ＬＢＲフレーム１２５１を生成し、生成したＬＢＲフレーム１２５１をキャリア装置Ｃ１２１に返送する。この時のＬＢＲフレーム１２５１は、宛先ＭＡＣアドレスがユーザ装置Ａ１０１のＭＡＣアドレス、送信元ＭＡＣアドレスがキャリア装置Ｄ１２２のＭＡＣアドレス、ＭＥＧレベル２、ＯｐＣｏｄｅが０ｘ０２のＬＢＲフレームである。
【００６６】
キャリア装置Ｃ１２１は、ＬＢＲフレーム１２５１を受信すると、イーサＯＡＭ処理部５２１においてイーサＯＡＭ処理を行う（処理１２６１）。イーサＯＡＭ処理（処理１２６１）は、図１１の処理１１０１と処理１１０２に該当する。図７の設定によると、ＭＥＧレベル２、ＯｐＣｏｄｅが０ｘ０２、ネットワークＸ１１１側のイーサＯＡＭ設定は有効となっているため、ＬＢＲフレーム１２５１の終端処理を行う。ただし、受信したＬＢＲフレーム１２５１の宛先ＭＡＣアドレスが、自装置宛ではないため、キャリア装置Ｃ１２１での自装置宛のＬＢＲフレーム１２５１受信した場合に行うイーサＯＡＭ処理は行わない。
【００６７】
次に、イーサＯＡＭ処理部５２１は、リレー判定処理（処理１２６２）を行う。リレー判定処理（処理１２６２）は、図１１の条件１１０３〜条件１１０８の判定処理に該当する。条件１１０３について、イーサＯＡＭ処理部５２１は、キャリア装置Ｃ１２１でユーザ装置Ａ１０１側にＭＥＧレベル２のＬＢ試験を実行中であるか確認する。ここでは説明のため、ＬＢ試験を行っていないものとする。次に、条件１１０４について、受信ＬＢＲフレーム１２５１の宛先ＭＡＣアドレスは、キャリア装置Ｃ１２１宛でないため、リレー条件に合致する。次に、条件１１０５について、受信ＬＢＲフレーム１２５１の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ０２のユニキャストリレー設定は有効であるため、条件に合致する。
【００６８】
そのため、イーサＯＡＭ処理部５２１は、通常リレー転送処理１１１１を行う。リレー処理１２６３では通常リレー処理１１１１を行うため、キャリア装置Ｃ１２１は、キャリア装置Ｃ１２１のイーサＯＡＭ処理部５２１で、受信したＬＢＲフレーム１２５１と同じ内容のＬＢＲフレーム１２７１を生成し、ユーザ装置Ａ１０１に送信する（処理１２６３）。
【００６９】
ユーザ装置Ａ１０１は、ＬＢＲフレーム１２７１を受信すると、イーサＯＡＭ処理部４２１においてイーサＯＡＭ処理を行う（処理１２８１）。ユーザ装置Ａ１０１は、イーサＯＡＭ処理１２８１において、宛先ＭＡＣアドレスがユーザ装置Ａ１０１のＭＡＣアドレス、送信元ＭＡＣアドレスがキャリア装置Ｄ１２２のＭＡＣアドレスのＬＢＲフレーム１２７１を受信することにより、ユーザ装置Ａ１０１とキャリア装置Ｄ１２２の間でＭＥＧレベル２のＬＢ試験が成功したと判定する。最後に、ユーザ装置Ａ１０１は、ユーザ装置Ａ１０１とキャリア装置Ｄ１２２の間でＭＥＧレベル２のＬＢ試験が成功したことを示す情報を出力し、オペレータ１００は、ユーザ装置Ａ１０１からＬＢ試験結果を取得し、ユーザ装置Ａ１０１とキャリア装置Ｄ１２２の間でＭＥＧレベル２のＬＢ試験が成功したことを確認する（処理１２８２）。
【００７０】
図１３は、図１１のフローチャートに従い処理を行った場合の、ユーザ装置Ａとキャリア装置Ｄ間のイーサＯＡＭフレームの転送シーケンス図の一例である。図１３は、リレー転送処理を行わない結果となるシーケンス図の一例である。
【００７１】
ユーザ装置Ａ１０１のオペレータ１００は、ユーザ装置Ａ１０１とキャリア装置Ｄ１２２の間でＭＥＧレベル２のユニキャストＤＭ試験を行うため、ユーザ装置Ａ１０１に、キャリア装置Ｄ１２２宛のＭＥＧレベル２のＤＭ試験実行指示を入力する（処理１３０１）。ユーザ装置Ａ１０１は、ＤＭ試験実行指示を受付けると、イーサＯＡＭ処理部４２１でイーサＯＡＭのＤＭＭフレーム１３１１を生成し、キャリア装置Ｃ１２１に送信する（処理１３０２）。この時のＤＭＭフレーム１３１１は、宛先ＭＡＣアドレスがキャリア装置Ｄ１２２のＭＡＣアドレス、送信元ＭＡＣアドレスがユーザ装置Ａ１０１のＭＡＣアドレス、ＭＥＧレベル２、ＯｐＣｏｄｅが０ｘ２ＦのＤＭＭフレームである。
【００７２】
キャリア装置Ｃ１２１は、ＤＭＭフレーム１３１１を受信すると、イーサＯＡＭ処理部５２１においてイーサＯＡＭ処理を行う（処理１３２１）。イーサＯＡＭ処理（処理１３２１）は、図１１の処理１１０１と処理１１０２に該当する。図７の設定によると、ＭＥＧレベル２、ＯｐＣｏｄｅが０ｘ２Ｆ、ユーザ装置Ａ１０１側のイーサＯＡＭ設定は無効となっているため、イーサＯＡＭ設定が有効であるときに実行されるイーサＯＡＭ処理は行わない。
【００７３】
次に、イーサＯＡＭ処理部５２１は、リレー判定処理（処理１３２２）を行う。リレー判定処理（処理１３２２）は、図１１の条件１１０３〜条件１１０８の判定処理に該当する。条件１１０３について、キャリア装置Ｃ１２１でネットワークＸ１１１側にＭＥＧレベル２のＤＭ試験を実行中であるか確認する。ここでは説明のため、ＤＭ試験を行っていないものとする。次に、条件１１０４について、受信ＤＭＭフレーム１３１１の宛先ＭＡＣアドレスは、キャリア装置Ｃ１２１宛でないため、リレー条件に合致する。次に、条件１１０５について、受信ＤＭＭフレーム１３１１の宛先ＭＡＣアドレスは、マルチキャストアドレスでないため、条件１１０６の判定に進む。条件１１０６について、図８のユーザ装置Ａ側→ネットワークＸ側リレー設定テーブル５２２の設定によると、ＭＥＧレベル２、ＯｐＣｏｄｅが０ｘ２Ｆのユニキャストリレー設定は無効であるため、リレー条件に合致しない。そのため、キャリア装置Ｃ１２１は、ネットワークＸ１１１へＤＭＭフレーム１３１１をリレーしない。
【００７４】
ユーザ装置Ａ１０１のイーサＯＡＭ処理部４２１は、規定の時間経過してもＤＭＲ（Ｄｅｌａｙ  Ｍｅａｓｕｒｅｍｅｎｔ  Ｒｅｐｌｙ）フレームを受信しないため、タイムアウト処理を行い、ユーザ装置Ａ１０１とキャリア装置Ｄ１２２のと間でＭＥＧレベル２のＤＭ試験が失敗したと判定する（処理１３８１）。ユーザ装置Ａ１０１は、ユーザ装置Ａ１０１とキャリア装置Ｄ１２２との間でＭＥＧレベル２のＤＭ試験が失敗したことを示す情報を出力し、オペレータ１００は、ユーザ装置Ａ１０１からＭＥＧレベル２のＤＭ試験結果を取得し、ユーザ装置Ａ１０１とキャリア装置Ｄ１２２の間でＭＥＧレベル２のＤＭ試験が失敗したことを確認する（処理１３８２）。
【００７５】
図１４は、図１１のフローチャートに従い処理を行った場合の、ユーザ装置Ａ１０１とキャリア装置Ｄ１２２間マルチキャストのイーサＯＡＭフレームの転送シーケンス図の一例である。イーサＯＡＭ試験の一例として、ユーザ装置Ａ１０１とキャリア装置Ｄ１２２の間で、キャリア装置Ｃ１２１のリレー転送処理を介して、ＭＥＧレベル２のマルチキャストＬＢ試験を行う場合を例にして説明する。
【００７６】
ユーザ装置Ａ１０１のオペレータ１００は、ユーザ装置Ａ１０１とキャリア装置Ｄ１２２の間でＭＥＧレベル２のマルチキャストＬＢ試験を行うため、ユーザ装置Ａ１０１に、マルチキャストでのＭＥＧレベル２のＬＢ試験実行指示を入力する（処理１４０１）。ユーザ装置Ａ１０１はＬＢ試験実行指示を受け付けると、イーサＯＡＭ処理部４２１でイーサＯＡＭのＬＢＭフレーム１４１１を生成し、キャリア装置Ｃ１２１に生成したＬＢＭフレーム１４１１を送信する（処理１４０２）。この時のＬＢＭフレーム１４１１は、宛先ＭＡＣアドレスがマルチキャストアドレス、送信元ＭＡＣアドレスがユーザ装置Ａ１０１のＭＡＣアドレス、ＭＥＧレベル２、ＯｐＣｏｄｅが０ｘ０３のＬＢＭフレームである。
【００７７】
キャリア装置Ｃ１２１は、ＬＢＭフレーム１４１１を受信すると、イーサＯＡＭ処理部５２１においてイーサＯＡＭ処理を行う（処理１４２１）。イーサＯＡＭ処理（処理１４２１）は、図１１の処理１１０１と処理１１０２に該当する。図７の設定によると、ＭＥＧレベル２、ＯｐＣｏｄｅが０ｘ０３、ユーザ装置Ａ１０１側のイーサＯＡＭ設定は無効となっているため、イーサＯＡＭ設定が有効である場合にＬＢＭフレームに対して実行するイーサＯＡＭ処理は行わない。
【００７８】
次に、リレー判定処理（処理１４２２）を行う。リレー判定処理（処理１４２２）は、図１１の条件１１０３〜条件１１０８の判定処理に該当する。条件１１０３について、キャリア装置Ｃ１２１でネットワークＸ１１１側にＭＥＧレベル２のＬＢ試験を実行中であるか確認する。ここでは説明のため、ＬＢ試験を行っていないものとする。次に、条件１１０４について、受信ＬＢＭフレーム１４１１の宛先ＭＡＣアドレスは、キャリア装置Ｃ１２１宛でないため、リレー条件に合致する。次に、条件１１０５について、受信ＬＢＭフレーム１４１１の宛先ＭＡＣアドレスは、マルチキャストアドレスであるため、条件１１０７の判定に進む。条件１１０７について、図８のユーザ装置Ａ側→ネットワークＸ側リレー設定テーブル５２２の設定によると、ＭＥＧレベル２、ＯｐＣｏｄｅが０ｘ０３のマルチキャストリレー設定は有効であるため、条件に合致する。次に条件１１０８について、図８のユーザ装置Ａ側→ネットワークＸ側リレー設定テーブル５２２の設定によると、ＭＥＧレベル２、ＯｐＣｏｄｅが０ｘ０３のマルチキャストアドレス変換は無効であるため、通常リレー処理１１１１を行う。
【００７９】
リレー処理１４２３では通常リレー処理１１１１を行うため、キャリア装置Ｃ１２１は、キャリア装置Ｃ１２１のイーサＯＡＭ処理部５２１で受信したＬＢＭフレーム１４１１と同じ内容のＬＢＭフレーム１４３１を生成し、生成したＬＢＭフレーム１４３１をキャリア装置Ｄ１２２に送信する（処理１４２３）。
【００８０】
キャリア装置Ｄ１２２は、ＬＢＭフレーム１４３１を受信すると、イーサＯＡＭ処理部６２１においてイーサＯＡＭ処理を行う（処理１４４１）。キャリア装置Ｄ１２２は、イーサＯＡＭ処理１４４１において、ＬＢＲフレーム１４５１をキャリア装置Ｃ１２１に返送する。この時のＬＢＲフレーム１４５１は、宛先ＭＡＣアドレスがユーザ装置Ａ１０１のＭＡＣアドレス、送信元ＭＡＣアドレスがキャリア装置Ｄ１２２のＭＡＣアドレス、ＭＥＧレベル２、ＯｐＣｏｄｅが０ｘ０２のＬＢＲフレームである。
【００８１】
キャリア装置Ｃ１２１は、ＬＢＲフレーム１４５１を受信すると、イーサＯＡＭ処理部５２１においてイーサＯＡＭ処理を行う（処理１４６１）。イーサＯＡＭ処理（処理１４６１）は、図１１の処理１１０１と処理１１０２に該当する。図７の設定によると、ＭＥＧレベル２、ＯｐＣｏｄｅが０ｘ０２、ネットワークＸ１１１側のイーサＯＡＭ設定は有効となっているため、ＬＢＲフレーム１４５１の終端処理を行う。ただし、受信したＬＢＲフレーム１４５１の宛先ＭＡＣアドレスが、自装置宛ではないため、ＬＢＲフレーム１４５１が自装置宛てである場合にＬＢＲフレームに対して行うイーサＯＡＭ処理は行わない。
【００８２】
次に、イーサＯＡＭ処理部５２１は、リレー判定処理（処理１４６２）を行う。リレー判定処理（処理１４６２）は、図１１の条件１１０３〜条件１１０８の判定処理に該当する。条件１１０３について、キャリア装置Ｃ１２１でユーザ装置Ａ１０１側にＭＥＧレベル２のＬＢ試験を実行中であるか確認する。ここでは説明のため、ＬＢ試験を行っていないものとする。次に、条件１１０４について、受信ＬＢＲフレーム１４５１の宛先ＭＡＣアドレスは、キャリア装置Ｃ１２１宛でないため、リレー条件に合致する。次に、条件１１０５について、受信ＬＢＲフレーム１４５１の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ０２のユニキャストリレー設定は有効であるため、条件に合致する。  そのため、通常リレー転送処理１１１１を行う。
【００８３】
リレー転送処理１４６３において通常リレー転送処理１１１１を行うため、キャリア装置Ｃ１２１のイーサＯＡＭ処理部５２１は、受信したＬＢＲフレーム１４５１と同じ内容のＬＢＲフレーム１４７１を生成し、生成したＬＢＲフレームをユーザ装置Ａ１０１に送信する（処理１４６３）。
【００８４】
ユーザ装置Ａ１０１は、ＬＢＲフレーム１４７１を受信すると、イーサＯＡＭ処理部４２１においてイーサＯＡＭ処理を行う（処理１４８１）。ユーザ装置Ａ１０１は、イーサＯＡＭ処理１４８１において、宛先ＭＡＣアドレスがユーザ装置Ａ１０１のＭＡＣアドレス、送信元ＭＡＣアドレスがキャリア装置Ｄ１２２のＭＡＣアドレスのＬＢＲフレーム１４７１を受信することにより、ユーザ装置Ａ１０１とキャリア装置Ｄ１２２の間でＭＥＧレベル２のＬＢ試験が成功したと判定する。ユーザ装置Ａ１０１は、ユーザ装置Ａ１０１とキャリア装置Ｄ１２２の間でＭＥＧレベル２のＬＢ試験が成功したことを示す情報を出力する。最後に、オペレータ１００は、ユーザ装置Ａ１０１からＬＢ試験結果を取得し、ユーザ装置Ａ１０１とキャリア装置Ｄ１２２の間でＭＥＧレベル２のＬＢ試験が成功したことを確認する（処理１４８２）。
【００８５】
図１５は、図１１のフローチャートに従い処理を行った場合の、マルチキャストのイーサＯＡＭフレームのリレー処理を示すシーケンス図の一例である。図１４の説明では、マルチキャストのイーサＯＡＭフレームを、マルチキャストアドレスのままリレーしたが、ネットワークのトラフィック軽減目的のため、図１５では、ユニキャストのイーサＯＡＭフレームにアドレス変換してリレーを行う。
【００８６】
ユーザのオペレータ１００は、ユーザ装置Ａ１０１とキャリア装置Ｄ１２２の間でＭＥＧレベル２のマルチキャストＤＭ試験を行うため、ユーザ装置Ａ１０１に、マルチキャストでのＭＥＧレベル２のＤＭ試験実行指示を入力する（処理１５０１）。ユーザ装置Ａ１０１はＤＭ試験実行指示を受け付けると、イーサＯＡＭ処理部４２１でイーサＯＡＭのＤＭＭフレーム１５１１を生成し、生成したＤＭＭフレーム１５１１をキャリア装置Ｃ１２１に送信する（処理１５０２）。この時のＤＭＭフレーム１５１１は、宛先ＭＡＣアドレスがマルチキャストアドレス、送信元ＭＡＣアドレスがユーザ装置Ａ１０１のＭＡＣアドレス、ＭＥＧレベル２、ＯｐＣｏｄｅが０ｘ２ＦのＤＭＭフレームである。
【００８７】
キャリア装置Ｃ１２１は、ＤＭＭフレーム１５１１を受信すると、イーサＯＡＭ処理部５２１においてイーサＯＡＭ処理を行う（処理１５２１）。イーサＯＡＭ処理（処理１５２１）は、図１１の処理１１０１と処理１１０２に該当する。図７の設定によると、ＭＥＧレベル２、ＯｐＣｏｄｅが０ｘ２Ｆ、ユーザ装置Ａ１０１側のイーサＯＡＭ設定は無効となっているため、イーサＯＡＭ設定が有効である場合にＤＭＭフレーム１５１１に対して実行するイーサＯＡＭ処理は行わない。
【００８８】
次に、リレー判定処理（処理１５２２）を行う。リレー判定処理（処理１５２２）は、図１１の条件１１０３〜条件１１０８の判定処理に該当する。条件１１０３について、キャリア装置Ｃ１２１でネットワークＸ１１１側にＭＥＧレベル２のＤＭ試験を実行中であるか確認する。ここでは説明のため、ＤＭ試験を行っていないものとする。次に、条件１１０４について、受信ＤＭＭフレーム１５１１の宛先ＭＡＣアドレスは、キャリア装置Ｃ１２１宛でないため、リレー条件に合致する。次に、条件１１０５について、受信ＤＭＭフレーム１５１１の宛先ＭＡＣアドレスは、マルチキャストアドレスであるため、条件１１０７の判定に進む。条件１１０７について、図８のユーザ装置Ａ側→ネットワークＸ側リレー設定テーブル５２２の設定によると、ＭＥＧレベル２、ＯｐＣｏｄｅが０ｘ２Ｆのマルチキャストリレー設定は有効であるため、条件に合致する。次に条件１１０８について、図８のユーザ装置Ａ側→ネットワークＸ側リレー設定テーブル５２２の設定によると、ＭＥＧレベル２、ＯｐＣｏｄｅが０ｘ２Ｆのマルチキャストアドレス変換は有効であり、キャリア装置Ｄ１２２のＭＡＣアドレスに変換する設定である。
【００８９】
そのため、アドレス変換リレー転送処理１１１２を行う。リレー転送処理１５２３はアドレス変換リレー転送処理１１１２となったため、キャリア装置Ｃ１２１は、キャリア装置Ｃ１２１のイーサＯＡＭ処理部５２１で、受信したＤＭＭフレーム１５１１の宛先ＭＡＣアドレスをキャリア装置Ｄ１２２のＭＡＣアドレスに変換したＤＭＭフレーム１５３１を生成し、生成したＤＭＭフレーム１５３１をキャリア装置Ｄ１２２に送信する（処理１５２３）。
【００９０】
キャリア装置Ｄ１２２は、ＤＭＭフレーム１５３１を受信すると、イーサＯＡＭ処理部６２１においてイーサＯＡＭ処理を行う（処理１５４１）。キャリア装置Ｄ１２２は、イーサＯＡＭ処理１５４１において、ＤＭＲフレーム１５５１をキャリア装置Ｃ１２１に返送する。この時のＤＭＲフレーム１５５１は、宛先ＭＡＣアドレスがユーザ装置Ａ１０１のＭＡＣアドレス、送信元ＭＡＣアドレスがキャリア装置Ｄ１２２のＭＡＣアドレス、ＭＥＧレベル２、ＯｐＣｏｄｅが０ｘ２ＥのＤＭＲフレームである。
【００９１】
キャリア装置Ｃ１２１は、ＤＭＲフレーム１５５１を受信すると、イーサＯＡＭ処理部５２１においてイーサＯＡＭ処理を行う（処理１５６１）。イーサＯＡＭ処理（処理１５６１）は、図１１の処理１１０１と処理１１０２に該当する。図７の設定によると、ＭＥＧレベル２、ＯｐＣｏｄｅが０ｘ２Ｅ、ネットワークＸ１１１側のイーサＯＡＭ設定は有効となっているため、ＤＭＲフレーム１５５１の終端処理を行う。ただし、受信したＤＭＲフレーム１５５１の宛先ＭＡＣアドレスが、自装置宛ではないため、自装置宛である場合にＤＭＲフレーム１５５１について行うイーサＯＡＭ処理は行わない。
【００９２】
次に、リレー判定処理（処理１５６２）を行う。リレー判定処理（処理１５６２）は、図１１の条件１１０３〜条件１１０８の判定処理に該当する。条件１１０３について、キャリア装置Ｃ１２１でユーザ装置Ａ１０１側にＭＥＧレベル２のＤＭ試験を実行中であるか確認する。ここでは説明のため、ＤＭ試験を行っていないものとする。次に、条件１１０４について、受信ＤＭＲフレーム１５５１の宛先ＭＡＣアドレスは、キャリア装置Ｃ１２１宛でないため、リレー条件に合致する。次に、条件１１０５について、受信ＤＭＲフレーム１５５１の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ２Ｅのユニキャストリレー設定は有効であるため、条件に合致する。
【００９３】
そのため、通常リレー転送処理１１１１を行う。リレー転送処理１５６３では通常リレー転送処理１１１１を行うため、キャリア装置Ｃ１２１は、キャリア装置Ｃ１２１のイーサＯＡＭ処理部５２１で、受信したＤＭＲフレーム１５５１と同じ内容のＤＭＲフレーム１５７１を生成し、ユーザ装置Ａ１０１に送信する（処理１５６３）。
【００９４】
ユーザ装置Ａ１０１は、ＤＭＲフレーム１５７１を受信すると、イーサＯＡＭ処理部４２１においてイーサＯＡＭ処理を行う（処理１５８１）。ユーザ装置Ａ１０１は、イーサＯＡＭ処理１５８１において、宛先ＭＡＣアドレスがユーザ装置Ａ１０１のＭＡＣアドレス、送信元ＭＡＣアドレスがキャリア装置Ｄ１２２のＭＡＣアドレスのＤＭＲフレーム１５７１を受信することにより、ユーザ装置Ａ１０１とキャリア装置Ｄ１２２の間でＭＥＧレベル２のＤＭ試験が成功したと判定し、ＤＭＲフレーム１５７１から、ユーザ装置Ａ１０１とキャリア装置Ｄ１２２の間の遅延時間を計算し、ユーザ装置Ａ１０１とキャリア装置Ｄ１２２の間でＭＥＧレベル２のＤＭ試験が成功したことを示す情報及びユーザ装置Ａ１０１とキャリア装置Ｄ１２２の間の遅延時間情報を出力する。最後に、オペレータ１００は、ユーザ装置Ａ１０１からＤＭ試験結果を取得し、ユーザ装置Ａ１０１とキャリア装置Ｄ１２２の間の遅延時間情報を取得する（処理１５８２）。
【００９５】
前述した本発明の実施形態によれば、キャリア装置Ｃ１２１が、イーサＯＡＭフレームをリレー処理することで、ユーザ装置Ａ１０１とキャリア装置Ｄ１２２との間で、ＭＥＧレベル２のイーサＯＡＭ試験を実行することが可能となる。同様に、キャリア装置Ｃ１２１が、ＭＥＧレベル４のイーサＯＡＭフレームをリレー処理することで、ユーザ装置Ａ１０１とキャリア装置Ｅ１２３との間で、ＭＥＧレベル４のイーサＯＡＭ試験を実行することが可能となる。
【００９６】
これまでの説明では、イーサＯＡＭのＭＥが、２台の装置間でポイントツーポイント接続されている構成を例に説明してきた。次に、ＭＥが３台以上の装置でポイントツーマルチポイント接続されている構成でのイーサＯＡＭフレームリレー処理を説明する。
【００９７】
図１６は、ポイントツーマルチポイントでのＭＥ設定の例を示す図である。図１６は、図３の構成にキャリア装置Ｆ１２４とユーザ装置Ｇ１０３を加え、キャリア装置Ｃ１２１とキャリア装置Ｄ１２２とキャリア装置Ｆ１２４の間で、ＭＥＧレベル２のＭＥ１６００が設定されている。ＭＥＰ１６０１はキャリア装置Ｃ１２１のＭＥＧレベル２のＭＥＰであり、ＭＥＰ１６０２はキャリア装置Ｄ１２２のＭＥＧレベル２のＭＥＰであり、ＭＥＰ１６０３はキャリア装置Ｆ１２４のＭＥＧレベル２のＭＥＰである。ＭＥＧレベル２以外のレベルのＭＥについては記載を省略している。
【００９８】
図１７は、図１６の構成で、図１１のフローチャートに従い処理を行った場合の、マルチキャストのイーサＯＡＭフレームの転送処理を示すシーケンス図の一例である。イーサＯＡＭ試験の一例として、ユーザ装置Ａ１０１とキャリア装置Ｄ１２２の間およびユーザ装置Ａ１０１とキャリア装置Ｆ１２４の間で、キャリア装置Ｃ１２１のリレー処理を介して、ＭＥＧレベル２のマルチキャストＬＢ（ＬｏｏｐＢａｃｋ）試験を行う場合を例にして説明する。
【００９９】
ユーザのオペレータ１００は、ユーザ装置Ａ１０１とキャリア装置Ｄ１２２の間およびユーザ装置Ａ１０１とキャリア装置Ｆ１２４の間でＭＥＧレベル２のマルチキャストＬＢ試験を行うため、ユーザ装置Ａ１０１に、マルチキャストでのＭＥＧレベル２のＬＢ試験実行指示を入力する（処理１７０１）。ユーザ装置Ａ１０１はＬＢ試験実行指示を受け付けると、イーサＯＡＭ処理部４２１でイーサＯＡＭのＬＢＭフレーム１７０３を生成し、生成したＬＢＭフレーム１７０３をキャリア装置Ｃ１２１に送信する（処理１７０２）。この時のＬＢＭフレーム１７０３は、宛先ＭＡＣアドレスがマルチキャストアドレス、送信元ＭＡＣアドレスがユーザ装置Ａ１０１のＭＡＣアドレス、ＭＥＧレベル２、ＯｐＣｏｄｅが０ｘ０３のＬＢＭフレームである。
【０１００】
キャリア装置Ｃ１２１は、ＬＢＭフレーム１７０３を受信すると、イーサＯＡＭ処理部５２１においてイーサＯＡＭ処理を行う（処理１７１１）。イーサＯＡＭ処理（処理１７１１）は、図１１の処理１１０１と処理１１０２に該当する。図７の設定によると、ＭＥＧレベル２、ＯｐＣｏｄｅが０ｘ０３、ユーザ装置Ａ１０１側のイーサＯＡＭ設定は無効となっているため、イーサＯＡＭ設定が有効である場合にＬＢＭフレーム１７０３に対して実行されるイーサＯＡＭ処理は行わない。
【０１０１】
次に、リレー判定処理（処理１７１２）を行う。リレー判定処理（処理１７１２）は、図１１の条件１１０３〜条件１１０８の判定処理に該当する。条件１１０３について、キャリア装置Ｃ１２１でネットワークＸ１１１側にＭＥＧレベル２のＬＢ試験を実行中であるか確認する。ここでは説明のため、ＬＢ試験を行っていないものとする。次に、条件１１０４について、受信ＬＢＭフレーム１７０３の宛先ＭＡＣアドレスは、キャリア装置Ｃ１２１宛でないため、リレー条件に合致する。次に、条件１１０５について、受信ＬＢＭフレーム１７０３の宛先ＭＡＣアドレスは、マルチキャストアドレスであるため、条件１１０７の判定に進む。条件１１０７について、図８のユーザ装置Ａ側→ネットワークＸ側リレー設定テーブル５２２の設定によると、ＭＥＧレベル２、ＯｐＣｏｄｅが０ｘ０３のマルチキャストリレー設定は有効であるため、条件に合致する。次に条件１１０８について、図８のユーザ装置Ａ側→ネットワークＸ側リレー設定テーブル５２２の設定によると、ＭＥＧレベル２、ＯｐＣｏｄｅが０ｘ０３のマルチキャストアドレス変換は無効であるため、通常リレー転送処理１１１１を行う。
【０１０２】
リレー転送処理１７１３は通常リレー転送処理１１１１となったため、キャリア装置Ｃ１２１は、キャリア装置Ｃ１２１のイーサＯＡＭ処理部５２１で、受信したＬＢＭフレーム１７０３と同じ内容のＬＢＭフレームを生成し、ネットワークＸ１１１に送信する（処理１７１３）。このＬＢＭフレームはマルチキャストのため、ネットワークＸ１１１において、キャリア装置Ｄ１２２とキャリア装置Ｆ１２４にマルチキャスト送信される。説明のため、キャリア装置Ｄ１２２に送信されるＬＢＭフレームをＬＢＭフレーム１７１４とし、キャリア装置Ｆ１２４に送信されるＬＢＭフレームをＬＢＭフレーム１７１５とする。
【０１０３】
キャリア装置Ｄ１２２は、ＬＢＭフレーム１７１４を受信すると、イーサＯＡＭ処理部６２１においてイーサＯＡＭ処理を行う（処理１７２１）。キャリア装置Ｄ１２２は、イーサＯＡＭ処理１７２１において、ＬＢＲフレーム１７２２をキャリア装置Ｃ１２１に返送する。この時のＬＢＲフレーム１７２２は、宛先ＭＡＣアドレスがユーザ装置Ａ１０１のＭＡＣアドレス、送信元ＭＡＣアドレスがキャリア装置Ｄ１２２のＭＡＣアドレス、ＭＥＧレベル２、ＯｐＣｏｄｅが０ｘ０２のＬＢＲフレームである。
【０１０４】
キャリア装置Ｃ１２１は、ＬＢＲフレーム１７２２を受信すると、イーサＯＡＭ処理部５２１においてイーサＯＡＭ処理を行う（処理１７３１）。イーサＯＡＭ処理（処理１７３１）は、図１１の処理１１０１と処理１１０２に該当する。図７の設定によると、ＭＥＧレベル２、ＯｐＣｏｄｅが０ｘ０２、ネットワークＸ１１１側のイーサＯＡＭ設定は有効となっているため、ＬＢＲフレーム１７２２の終端処理を行う。ただし、受信したＬＢＲフレーム１７２２の宛先ＭＡＣアドレスが、自装置宛ではないため、自装置宛である場合にＬＢＲフレーム１７２２に対して実行するイーサＯＡＭ処理は行わない。
【０１０５】
次に、リレー判定処理（処理１７３２）を行う。リレー判定処理（処理１７３２）は、図１１の条件１１０３〜条件１１０８の判定処理に該当する。条件１１０３について、キャリア装置Ｃ１２１でユーザ装置Ａ１０１側にＭＥＧレベル２のＬＢ試験を実行中であるか確認する。ここでは説明のため、ＬＢ試験を行っていないものとする。次に、条件１１０４について、受信ＬＢＲフレーム１７２２の宛先ＭＡＣアドレスは、キャリア装置Ｃ１２１宛でないため、リレー条件に合致する。次に、条件１１０５について、受信ＬＢＲフレーム１７２２の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ０２のユニキャストリレー設定は有効であるため、条件に合致する。
【０１０６】
そのため、通常リレー転送処理１１１１を行う。リレー転送処理１７３３は通常リレー転送処理１１１１となったため、キャリア装置Ｃ１２１は、キャリア装置Ｃ１２１のイーサＯＡＭ処理部５２１で、受信したＬＢＲフレーム１７２２と同じ内容のＬＢＲフレーム１７３４を生成し、ユーザ装置Ａ１０１に送信する（処理１７３３）。
【０１０７】
ユーザ装置Ａ１０１は、ＬＢＲフレーム１７３４を受信すると、イーサＯＡＭ処理部４２１においてイーサＯＡＭ処理を行う（処理１７４１）。ユーザ装置Ａ１０１は、イーサＯＡＭ処理１７４１において、宛先ＭＡＣアドレスがユーザ装置Ａ１０１のＭＡＣアドレス、送信元ＭＡＣアドレスがキャリア装置Ｄ１２２のＭＡＣアドレスのＬＢＲフレーム１７３４を受信することにより、ユーザ装置Ａ１０１とキャリア装置Ｄ１２２の間でＭＥＧレベル２のＬＢ試験が成功したと判定する。
【０１０８】
キャリア装置Ｄ１２２と同様に、キャリア装置Ｆ１２４でも同様のイーサＯＡＭ処理を行う。キャリア装置Ｆ１２４の構成は、図６で示したキャリア装置Ｄ１２２の構成と同一とする。
【０１０９】
キャリア装置Ｆ１２４は、ＬＢＭフレーム１７１５を受信すると、イーサＯＡＭ処理部６２１においてイーサＯＡＭ処理を行う（処理１７５１）。キャリア装置Ｆ１２４は、イーサＯＡＭ処理１７５１において、ＬＢＲフレーム１７５２をキャリア装置Ｃ１２１に返送する。この時のＬＢＲフレーム１７５２は、宛先ＭＡＣアドレスがユーザ装置Ａ１０１のＭＡＣアドレス、送信元ＭＡＣアドレスがキャリア装置Ｆ１２４のＭＡＣアドレス、ＭＥＧレベル２、ＯｐＣｏｄｅが０ｘ０２のＬＢＲフレームである。キャリア装置Ｃ１２１は、ＬＢＲフレーム１７５２を受信すると、イーサＯＡＭ処理部５２１においてイーサＯＡＭ処理を行う（処理１７６１）。イーサＯＡＭ処理（処理１７６１）は、図１１の処理１１０１と処理１１０２に該当する。図７の設定によると、ＭＥＧレベル２、ＯｐＣｏｄｅが０ｘ０２、ネットワークＸ１１１側のイーサＯＡＭ設定は有効となっているため、ＬＢＲフレーム１７５２の終端処理を行う。ただし、受信したＬＢＲフレーム１７５２の宛先ＭＡＣアドレスが、自装置宛ではないため、自装置宛である場合にＬＢＲフレーム１７５２に対して行うイーサＯＡＭ処理は行わない。
【０１１０】
次に、リレー転送判定処理（処理１７６２）を行う。リレー転送判定処理（処理１７６２）は、図１１の条件１１０３〜条件１１０８の判定処理に該当する。条件１１０３について、キャリア装置Ｃ１２１でユーザ装置Ａ１０１側にＭＥＧレベル２のＬＢ試験を実行中であるか確認する。ここでは説明のため、ＬＢ試験を行っていないものとする。次に、条件１１０４について、受信ＬＢＲフレーム１７５２の宛先ＭＡＣアドレスは、キャリア装置Ｃ１２１宛でないため、リレー条件に合致する。次に、条件１１０５について、受信ＬＢＲフレーム１７５２の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ０２のユニキャストリレー設定は有効であるため、条件に合致する。
【０１１１】
そのため、通常リレー転送処理１１１１を行う。リレー転送処理１７６３は通常リレー転送処理１１１１となったため、キャリア装置Ｃ１２１は、キャリア装置Ｃ１２１のイーサＯＡＭ処理部５２１で、受信したＬＢＲフレーム１７５２とまったく同じ内容のＬＢＲフレーム１７６４を生成し、ユーザ装置Ａ１０１に送信する（処理１７６３）。
【０１１２】
ユーザ装置Ａ１０１は、ＬＢＲフレーム１７６４を受信すると、イーサＯＡＭ処理部４２１においてイーサＯＡＭ処理を行う（処理１７７１）。ユーザ装置Ａ１０１は、イーサＯＡＭ処理１７７１において、宛先ＭＡＣアドレスがユーザ装置Ａ１０１のＭＡＣアドレス、送信元ＭＡＣアドレスがキャリア装置Ｆ１２４のＭＡＣアドレスのＬＢＲフレーム１７６４を受信することにより、ユーザ装置Ａ１０１とキャリア装置Ｆ１２４の間でＭＥＧレベル２のＬＢ試験が成功したと判定する。ユーザ装置Ａ１０１は、ユーザ装置Ａ１０１からＬＢ試験結果を取得し、ユーザ装置Ａ１０１とキャリア装置Ｄ１２２の間およびユーザ装置Ａ１０１とキャリア装置Ｆ１２４の間でＭＥＧレベル２のＬＢ試験が成功したことを示す情報を出力する。
【０１１３】
最後に、オペレータ１００は、ユーザ装置Ａ１０１からＬＢ試験結果を取得し、ユーザ装置Ａ１０１とキャリア装置Ｄ１２２の間およびユーザ装置Ａ１０１とキャリア装置Ｆ１２４の間でＭＥＧレベル２のＬＢ試験が成功したことを確認する（処理１７７２）。
【０１１４】
図１８は、図１６の構成で、図１１のフローチャートに従い処理を行った場合の、マルチキャストのイーサＯＡＭフレームのリレー処理を示すシーケンス図の一例である。図１７の説明では、マルチキャストのイーサＯＡＭフレームを、マルチキャストアドレスのままリレーしたため、リレーしたイーサＯＡＭフレームがキャリア装置Ｄ１２２とキャリア装置Ｆ１２４の両方に送信されたが、ネットワークのトラフィック軽減目的や、特定の装置にのみイーサＯＡＭフレームを送信したい場合、ユニキャストのイーサＯＡＭフレームにアドレス変換してリレーを行う。
【０１１５】
ユーザのオペレータ１００は、ＭＥＧレベル２のマルチキャストＤＭ試験を行うため、ユーザ装置Ａ１０１に、マルチキャストでのＭＥＧレベル２のＤＭ試験実行指示を入力する（処理１８０１）。ユーザ装置Ａ１０１はＤＭ試験実行指示を受け付けると、イーサＯＡＭ処理部４２１でイーサＯＡＭのＤＭＭフレーム１８０３を生成し、キャリア装置Ｃ１２１に送信する（処理１８０２）。この時のＤＭＭフレーム１８０３は、宛先ＭＡＣアドレスがマルチキャストアドレス、送信元ＭＡＣアドレスがユーザ装置Ａ１０１のＭＡＣアドレス、ＭＥＧレベル２、ＯｐＣｏｄｅが０ｘ２ＦのＤＭＭフレームである。
【０１１６】
キャリア装置Ｃ１２１は、ＤＭＭフレーム１８０３を受信すると、イーサＯＡＭ処理部５２１においてイーサＯＡＭ処理を行う（処理１８１１）。イーサＯＡＭ処理（処理１８１１）は、図１１の処理１１０１と処理１１０２に該当する。図７の設定によると、ＭＥＧレベル２、ＯｐＣｏｄｅが０ｘ２Ｆ、ユーザ装置Ａ１０１側のイーサＯＡＭ設定は無効となっているため、ユーザ装置Ａ側からＤＭＭフレーム１８０３を受信したことによるイーサＯＡＭ処理はない。
【０１１７】
次に、リレー判定処理（処理１８１２）を行う。リレー判定処理（処理１８１２）は、図１１の条件１１０３〜条件１１０８の判定処理に該当する。条件１１０３について、キャリア装置Ｃ１２１でネットワークＸ１１１側にＭＥＧレベル２のＤＭ試験を実行中であるか確認する。ここでは説明のため、ＤＭ試験を行っていないものとする。次に、条件１１０４について、受信ＤＭＭフレーム１８０３の宛先ＭＡＣアドレスは、キャリア装置Ｃ１２１宛でないため、リレー条件に合致する。次に、条件１１０５について、受信ＤＭＭフレーム１８０３の宛先ＭＡＣアドレスは、マルチキャストアドレスであるため、条件１１０７の判定に進む。条件１１０７について、図８のユーザ装置Ａ側→ネットワークＸ側リレー設定テーブル５２２の設定によると、ＭＥＧレベル２、ＯｐＣｏｄｅが０ｘ２Ｆのマルチキャストリレー設定は有効であるため、条件に合致する。次に条件１１０８について、図８のユーザ装置Ａ側→ネットワークＸ側リレー設定テーブル５２２の設定によると、ＭＥＧレベル２、ＯｐＣｏｄｅが０ｘ２Ｆのマルチキャストアドレス変換は有効であり、キャリア装置Ｄ１２２のＭＡＣアドレスに変換する設定である。
【０１１８】
そのため、アドレス変換リレー転送処理１１１２を行う。リレー転送処理１８１３はアドレス変換リレー転送処理１１１２となったため、キャリア装置Ｃ１２１は、キャリア装置Ｃ１２１のイーサＯＡＭ処理部５２１で、受信したＤＭＭフレーム１８０３の宛先ＭＡＣアドレスをキャリア装置Ｄ１２２のＭＡＣアドレスに変換したＤＭＭフレーム１８１４を生成し、キャリア装置Ｄ１２２に送信する（処理１８１３）。
【０１１９】
キャリア装置Ｄ１２２は、ＤＭＭフレーム１８１４を受信すると、イーサＯＡＭ処理部６２１においてイーサＯＡＭ処理を行う（処理１８２１）。キャリア装置Ｄ１２２は、イーサＯＡＭ処理１８２１において、ＤＭＲフレーム１８２２をキャリア装置Ｃ１２１に返送する。この時のＤＭＲフレーム１８２２は、宛先ＭＡＣアドレスがユーザ装置Ａ１０１のＭＡＣアドレス、送信元ＭＡＣアドレスがキャリア装置Ｄ１２２のＭＡＣアドレス、ＭＥＧレベル２、ＯｐＣｏｄｅが０ｘ２ＥのＤＭＲフレームである。キャリア装置Ｃ１２１は、ＤＭＲフレーム１８２２を受信すると、イーサＯＡＭ処理部５２１においてイーサＯＡＭ処理を行う（処理１８３１）。イーサＯＡＭ処理（処理１８３１）は、図１１の処理１１０１と処理１１０２に該当する。図７の設定によると、ＭＥＧレベル２、ＯｐＣｏｄｅが０ｘ２Ｅ、ネットワークＸ１１１側のイーサＯＡＭ設定は有効となっているため、ＤＭＲフレーム１８２２の終端処理を行う。ただし、受信したＤＭＲフレーム１８２２の宛先ＭＡＣアドレスが、自装置宛ではないため、自装置宛である場合にＤＭＲフレーム１８２２に対して行うイーサＯＡＭ処理は行わない。
【０１２０】
次に、リレー判定処理（処理１８３２）を行う。リレー判定処理（処理１８３２）は、図１１の条件１１０３〜条件１１０８の判定処理に該当する。条件１１０３について、キャリア装置Ｃ１２１でユーザ装置Ａ１０１側にＭＥＧレベル２のＤＭ試験を実行中であるか確認する。ここでは説明のため、ＤＭ試験を行っていないものとする。次に、条件１１０４について、受信ＤＭＲフレーム１８２２の宛先ＭＡＣアドレスは、キャリア装置Ｃ１２１宛でないため、リレー条件に合致する。次に、条件１１０５について、受信ＤＭＲフレーム１８２２の宛先ＭＡＣアドレスは、マルチキャストアドレスでないため、条件１１０６の判定に進む。条件１１０６について、図９のネットワークＸ側→ユーザ装置Ａ側リレー設定テーブル５２２の設定によると、ＭＥＧレベル２、ＯｐＣｏｄｅが０ｘ２Ｅのユニキャストリレー設定は有効であるため、条件に合致する。そのため、通常リレー処理１１１１を行う。リレー処理１８３３は通常リレー処理１１１１となったため、キャリア装置Ｃ１２１は、キャリア装置Ｃ１２１のイーサＯＡＭ処理部５２１で、受信したＤＭＲフレーム１８２２と同じ内容のＤＭＲフレーム１８３４を生成し、ユーザ装置Ａ１０１に送信する（処理１８３３）。
【０１２１】
ユーザ装置Ａ１０１は、ＤＭＲフレーム１８３４を受信すると、イーサＯＡＭ処理部４２１においてイーサＯＡＭ処理を行う（処理１８４１）。ユーザ装置Ａ１０１は、イーサＯＡＭ処理１８４１において、宛先ＭＡＣアドレスがユーザ装置Ａ１０１のＭＡＣアドレス、送信元ＭＡＣアドレスがキャリア装置Ｄ１２２のＭＡＣアドレスのＤＭＲフレーム１８３４を受信することにより、ユーザ装置Ａ１０１とキャリア装置Ｄ１２２の間でＭＥＧレベル２のＤＭ試験が成功したと判定し、ＤＭＲフレーム１８３４から、ユーザ装置Ａ１０１とキャリア装置Ｄ１２２の間の遅延時間を計算する。ユーザ装置Ａ１０１は、ユーザ装置Ａ１０１とキャリア装置Ｄ１２２の間でＭＥＧレベル２のＤＭ試験が成功したことを示す情報、及び、ユーザ装置Ａ１０１とキャリア装置Ｄ１２２の間の遅延時間を示す情報を出力する。
【０１２２】
最後に、オペレータ１００は、ユーザ装置Ａ１０１からＤＭ試験結果を取得し、ユーザ装置Ａ１０１とキャリア装置Ｄ１２２の間の遅延時間情報を取得する（処理１８７２）。上記で説明したとおり、キャリア装置Ｃ１２１のリレー処理１８１３で、ユニキャストのＤＭＭフレーム１８１４にアドレス変換してリレーを行ったため、キャリア装置Ｆ１２４にＤＭＭフレームが届くことはない。
【０１２３】
前述した本発明の実施形態によれば、ポイントツーマルチポイント接続されている構成においても、キャリア装置Ｃ１２１が、イーサＯＡＭフレームをリレー処理することで、ユーザ装置Ａ１０１とキャリア装置Ｄ１２２およびキャリア装置Ｆ１２４との間で、ＭＥＧレベル２のイーサＯＡＭ試験を実行することが可能となる。同様に、キャリア装置Ｃ１２１でユニキャストのイーサＯＡＭフレームへ変換しリレー処理することで、特定のキャリア装置とのイーサＯＡＭ試験を実行することが可能となる。
【０１２４】
以上、本発明の実施形態によれば、ユーザレベルのＭＥＧレベルを消費することなく、ユーザ装置とキャリアネットワーク内のキャリア装置との間で、イーサＯＡＭ試験を実行することが可能となる。
【０１２５】
さらに、本発明の実施形態によれば、ユーザが直接キャリアネットワーク１１０内のキャリア装置との間でイーサＯＡＭ試験を行うことが可能となるため、従来と比べて、異なる管理網を含めた区間でのイーサＯＡＭ試験の結果が容易にわかるようになる。
【符号の説明】
【０１２６】
１０１、１０２  ユーザ装置
１１０、１１１、１１２  キャリアネットワーク
１２１、１２２、１２３  キャリア装置
１３０  ＭＥＰ
１４０、１５０、１６０、１７０、１８０、１９０  ＭＥ
３０１、３０２、３１１、３１２  ＭＥＰ
３００、３１０  ＭＥ
４０１、４１１、５０１、５１１、６０１、６１１  受信部
４１２、５０２、５１２、６０２、６１２  振分部
４０３、５０３、５１３、６０３、６１３  多重部
４０４、４１４、５０４、５１４、６０４、６１４  送信部
４２１、５２１、６２１  イーサＯＡＭ処理部
５２２  リレー設定テーブル
【図１】
2015139077.tif 000003
【図２】
2015139077.tif 000004
【図３】
2015139077.tif 000005
【図４】
2015139077.tif 000006
【図５】
2015139077.tif 000007
【図６】
2015139077.tif 000008
【図７】
2015139077.tif 000009
【図８】
2015139077.tif 000010
【図９】
2015139077.tif 000011
【図１０】
2015139077.tif 000012
【図１１】
2015139077.tif 000013
【図１２】
2015139077.tif 000014
【図１３】
2015139077.tif 000015
【図１４】
2015139077.tif 000016
【図１５】
2015139077.tif 000017
【図１６】
2015139077.tif 000018
【図１７】
2015139077.tif 000019
【図１８】
2015139077.tif 000020
【図１９】
2015139077.tif 000021